(57)【特許請求の範囲】
【請求項１】
コネクタと、該コネクタのハウジングに回動自在に設けられたレバーとを有し、前記レバーを回動させることにより、前記コネクタを相手側コネクタに対して接離させるレバー嵌合式コネクタであって、
前記レバーが、互いに平行に配され一端部同士が間隔をあけて互いに分離された一対の側板と、これら一対の側板の他端部同士を連結した連結部と、前記側板の一端部側に設けられた当該レバーの回転中心をなす中心部と、を有し、
前記ハウジングが、
前記側板と重なる重なり壁の、前記コネクタの接離方向と直交する直交方向に沿った中央部に設けられた、前記中心部を回転自在に支持する中心支持部と、
前記重なり壁の前記接離方向の一方の端に設けられ、かつ、前記中心支持部を通る前記接離方向と平行な仮想直線を挟んで互いに線対称に設けられた、前記側板が前記ハウジングの外側に開くことを防止する一対の開き防止部と、を有し、
前記一対の開き防止部が、前記レバーの回動動作の前半においては、一方の開き防止部と前記重なり壁との間に前記側板の外縁部を位置付け、前記レバーの回動動作の後半においては、他方の開き防止部と前記重なり壁との間に前記側板の外縁部を位置付け、
前記開き防止部の外縁部から前記重なり壁の面方向に沿って凹に形成されて当該開き防止部の一部を切り欠いた切り欠き部と、
前記コネクタを相手側コネクタから最も離れた離間位置に位置付けた状態において、前記切り欠き部内に圧入係止されることにより前記レバーを回動不能状態に保つ、前記側板の外表面から前記ハウジングの外側に向かって突出した突起と、が設けられている
ことを特徴とするレバー嵌合式コネクタ。
【請求項２】
前記突起が、前記側板の相手側コネクタ寄りの外縁部よりも当該側板の中央部寄りの位置に設けられている
ことを特徴とする請求項１に記載のレバー嵌合式コネクタ。
【請求項３】
前記突起を囲むように前記側板をコ字型に切り欠いたコ字型溝が設けられ、さらに、
該コ字型溝の内側の部分の厚みが前記側板の他の部分よりも薄く形成されることにより、前記コネクタと相手側コネクタとの嵌合時において該相手側コネクタのハウジングに押圧された前記突起が前記重なり壁側に撓むための空間が、前記コ字型溝の内側の部分と前記重なり壁との間に設けられており、
前記突起が前記重なり壁側に撓むことにより、当該突起の前記切り欠き部への係止が解除される
ことを特徴とする請求項１または請求項２に記載のレバー嵌合式コネクタ。
【発明の詳細な説明】
【技術分野】
【０００１】
本発明は、レバーの回動操作で雄・雌両コネクタを低力で嵌合または嵌合状態から離脱させるレバー嵌合式コネクタに関するものである。
【背景技術】
【０００２】
従来、多極の端子を有する雄・雌両コネクタを嵌合させる際に、レバーを用いて嵌合操作力を低減させるレバー嵌合式コネクタが採用されている（例えば特許文献１を参照。）。
【０００３】
かかるレバー嵌合式コネクタは、図１１に示されている。図１１に示すレバー嵌合式コネクタ１００は、雄コネクタ１２１と、この雄コネクタ１２１の両側面１２５に設けられたボス部１２７に回動自在に取り付けられたレバー１２２と、雄コネクタ１２１が嵌合する雌コネクタ１２３と、を有している。また、レバー１２２は、左右一対の側壁１２８と左右の側壁１２８を後端側で連結する操作部１２９とを有した構成である。
【０００４】
上記レバー嵌合式コネクタ１００は、レバー１２２の操作部１２９を雌コネクタ１２３に近付く方向に押圧することで、雄コネクタ１２１が雌コネクタ１２３のフード部１３２内に収容され、雄コネクタ１２１と雌コネクタ１２３とが嵌合する。
【０００５】
また、上記レバー嵌合式コネクタ１００は、レバー１２２の回動動作で生じるモーメントによりレバー１２２がボス部１２７から外れることを防止するため、雄コネクタ１２１の両側面１２５の一端部に、レバー嵌合式コネクタ１００の嵌合方向に延びた外れ防止リブ１２６を設けている。この外れ防止リブ１２６には、前記嵌合方向に沿って延びた長孔１２６Ａが設けられており、レバー１２２の操作部１２９と反対側である側壁１２８の先端に設けられた突起部１２８Ａがこの長孔１２６Ａに挿入される。このような構成により、レバー１２２の一対の側壁１２８が互いに離れる方向に開くことが防止されるので、レバー１２２がボス部１２７から外れることを防止できる。
【０００６】
また、上記レバー嵌合式コネクタ１００は、コネクタ１２１，１２３同士の嵌合初期段階までレバー１２２の姿勢を保つため、レバー１２２の後端側の下部に、後方に向けて拡開する、反発性および可撓性を有する姿勢規定片１３８，１３８が設けられている。
【特許文献１】特開２０００−２５２００７号公報
【発明の開示】
【発明が解決しようとする課題】
【０００７】
ところで、上述したレバー嵌合式コネクタ１００は、主に車両内などの狭いスペース内で用いられることから、コネクタ１２１，１２３に接続された電線の取り廻し方向によってはレバー１２２の操作が困難になる場合があった。このことから、電線の取り廻し方向に応じてレバー１２２の組み付け方向を右向き・左向きの二方向から適宜選択することが可能なリバーシブルタイプのレバー嵌合式コネクタが求められていた。
【０００８】
また、リバーシブルタイプのレバー嵌合式コネクタを設計するにあたっては、レバーが取り付けられる側のコネクタ形状を、このレバーの回転中心を挟んで線対称な形状に形成しなくてはならない。しかし、例えば上述したレバー嵌合式コネクタ１００においては、嵌合方向に延びた外れ防止リブ１２６が雄コネクタ１２１の両側面１２５の一端部に設けられており、この外れ防止リブ１２６を両側面１２５の他端部に線対称に設けてしまうと、レバー１２２の操作部１２９側に位置付けられた外れ防止リブ１２６が、レバー１２２の回動動作を干渉してしまうという問題があった。このように、レバーの外れ防止機能を有したレバー嵌合式コネクタにおいては、レバーの組み付け方向を右向き・左向きの二方向から適宜選択可能な構成にすることが容易ではなかった。
【０００９】
また、上述したレバー嵌合式コネクタ１００は、姿勢規定片１３８が、雌コネクタ１２３との嵌合間口側を向いて突出して設けられているので、この姿勢規定片１３８が破損してしまったり、電線や雌コネクタ１２３のフード部１３２等に引っ掛かる恐れがあった。
【００１０】
従って、本発明は、レバーの外れ防止機能を有し、かつ、レバーの組み付け方向を右向き・左向きの二方向から適宜選択可能なレバー嵌合式コネクタを提供することを目的とする。
【課題を解決するための手段】
【００１２】
上述した目的を達成するために、請求項１に記載された発明は、コネクタと、該コネクタのハウジングに回動自在に設けられたレバーとを有し、前記レバーを回動させることにより、前記コネクタを相手側コネクタに対して接離させるレバー嵌合式コネクタであって、前記レバーが、互いに平行に配され一端部同士が間隔をあけて互いに分離された一対の側板と、これら一対の側板の他端部同士を連結した連結部と、前記側板の一端部側に設けられた当該レバーの回転中心をなす中心部と、を有し、前記ハウジングが、前記側板と重なる重なり壁の、前記コネクタの接離方向と直交する直交方向に沿った中央部に設けられた、前記中心部を回転自在に支持する中心支持部と、前記重なり壁の前記接離方向の一方の端に設けられ、かつ、前記中心支持部を通る前記接離方向と平行な仮想直線を挟んで互いに線対称に設けられた、前記側板が前記ハウジングの外側に開くことを防止する一対の開き防止部と、を有し、前記一対の開き防止部が、前記レバーの回動動作の前半においては、一方の開き防止部と前記重なり壁との間に前記側板の外縁部を位置付け、前記レバーの回動動作の後半においては、他方の開き防止部と前記重なり壁との間に前記側板の外縁部を位置付け、前記開き防止部の外縁部から前記重なり壁の面方向に沿って凹に形成されて当該開き防止部の一部を切り欠いた切り欠き部と、前記コネクタを相手側コネクタから最も離れた離間位置に位置付けた状態において、前記切り欠き部内に圧入係止されることにより前記レバーを回動不能状態に保つ、前記側板の外表面から前記ハウジングの外側に向かって突出した突起と、が設けられていることを特徴とするレバー嵌合式コネクタである。
【００１３】
請求項２に記載された発明は、請求項１に記載された発明において、前記突起が、前記側板の相手側コネクタ寄りの外縁部よりも当該側板の中央部寄りの位置に設けられていることを特徴とするものである。
【００１４】
請求項３に記載された発明は、請求項１または請求項２に記載された発明において、前記突起を囲むように前記側板をコ字型に切り欠いたコ字型溝が設けられ、さらに、該コ字型溝の内側の部分の厚みが前記側板の他の部分よりも薄く形成されることにより、前記コネクタと相手側コネクタとの嵌合時において該相手側コネクタのハウジングに押圧された前記突起が前記重なり壁側に撓むための空間が、前記コ字型溝の内側の部分と前記重なり壁との間に設けられており、前記突起が前記重なり壁側に撓むことにより、当該突起の前記切り欠き部への係止が解除されることを特徴とするものである。
【発明の効果】
【００１５】
請求項１に記載された発明によれば、ハウジングが、側板と重なる重なり壁の、コネクタの接離方向と直交する直交方向に沿った中央部に設けられた、中心部を回転自在に支持する中心支持部と、前記重なり壁の前記接離方向の一方の端に設けられ、かつ、前記中心支持部を通る前記接離方向と平行な仮想直線を挟んで互いに線対称に設けられた、前記側板が前記ハウジングの外側に開くことを防止する一対の開き防止部と、を有し、前記一対の開き防止部が、前記レバーの回動動作の前半においては、一方の開き防止部と前記重なり壁との間に前記側板の外縁部を位置付け、前記レバーの回動動作の後半においては、他方の開き防止部と前記重なり壁との間に前記側板の外縁部を位置付けることから、これら一対の開き防止部がレバーの回動動作を妨げることがないので、レバーの外れ防止機能を有し、かつ、レバーの組み付け方向を右向き・左向きの二方向から適宜選択可能なレバー嵌合式コネクタを提供することができる。
【００１６】
また、請求項１に記載された発明によれば、前記開き防止部の外縁部から前記重なり壁の面方向に沿って凹に形成されて当該開き防止部の一部を切り欠いた切り欠き部と、前記コネクタを相手側コネクタから最も離れた離間位置に位置付けた状態において、前記切り欠き部内に圧入係止されることにより前記レバーを回動不能状態に保つ、前記側板の外表面から前記ハウジングの外側に向かって突出した突起と、が設けられていることから、レバー嵌合式コネクタの構成を簡素化することができる。
【００１７】
請求項２に記載された発明によれば、前記突起が、前記側板の相手側コネクタ寄りの外縁部よりも当該側板の中央部寄りの位置に設けられていることから、即ち相手側コネクタとの嵌合間口側を向いて突出しないように突起を設けたことから、この突起が電線や相手側コネクタのハウジング等に引っ掛かることを防止できる。よって、レバーの回動動作を妨げることを防止できる。
【００１８】
請求項３に記載された発明によれば、前記突起を囲むように前記側板をコ字型に切り欠いたコ字型溝が設けられ、さらに、該コ字型溝の内側の部分の厚みが前記側板の他の部分よりも薄く形成されることにより、前記コネクタと相手側コネクタとの嵌合時において該相手側コネクタのハウジングに押圧された前記突起が前記重なり壁側に撓むための空間が、前記コ字型溝の内側の部分と前記重なり壁との間に設けられており、前記突起が前記重なり壁側に撓むことにより、当該突起の前記切り欠き部への係止が解除されることから、突起の切り欠き部への係止解除をスムーズに行うことができるので、レバーの回動動作を円滑にすることができる。
【発明を実施するための最良の形態】
【００１９】
以下、本発明の一実施の形態にかかるレバー嵌合式コネクタ１を図１ないし図１０を参照して説明する。
【００２０】
図１に示す本実施形態のレバー嵌合式コネクタ１は、雄型のコネクタ５と、該コネクタ５のアウターハウジング（請求項中のハウジングに相当する。）２に回動自在に設けられたレバー６とを有し、前記レバー６を回動させることにより、前記コネクタ５を雌型の相手側コネクタ（不図示）に対して嵌合した状態と嵌合していない状態とに亘って接離させるレバー嵌合式コネクタ１である。
【００２１】
また、前記「接離させる」とは、本明細書においては、互いに近付けたり離したりすることを意味する。また、本明細書における「接離方向」とは、図１中に矢印Ｓで示す方向であり、コネクタ５が相手側コネクタに対して接離する際に移動する方向を意味する。また、本明細書における接離方向Ｓと直交する「直交方向」を、図１中に矢印Ｔで示す。
【００２２】
上記コネクタ５は、合成樹脂製のアウターハウジング２と、このアウターハウジング２内に収容される合成樹脂製の複数のインナーハウジング３と、このインナーハウジング３に収容される複数の端子４と、を有している。
【００２３】
上記アウターハウジング２は、図２及び図３に示すように、相手側コネクタ側に位置する底壁２１と、この底壁２１から立設した４つの壁２２，２２，２３，２３と、を有している。これら、壁２２，２２、及び、壁２３，２３はそれぞれ互いに間隔をあけて平行に配されている。また、壁２２の直交方向Ｔに沿った幅は、壁２３の幅（接離方向Ｓ及び直交方向Ｔの双方と直交する方向の幅である。）よりも大きく形成されている。また、この壁２２は、請求項中の重なり壁をなしている。以下、壁２２を重なり壁２２と呼ぶ。さらに、アウターハウジング２の前記底壁２１と相対する側は開口しており、この開口側から底壁２１に向かって複数のインナーハウジング３が挿入される。また、底壁２１には、相手側コネクタの端子が挿入されるための複数の貫通穴２１ａが設けられている。
【００２４】
上記重なり壁２２の外表面には、レバー６に設けられた中心穴６３に通されて、この中心穴６３を重なり壁２２に対して回転自在に支持する中心支持突起２４（請求項中の中心支持部に相当する。）が設けられている。この中心支持突起２４は、重なり壁２２の直交方向Ｔに沿った中央部に設けられている。このように中心支持突起２４が中央部に設けられていることにより、レバー６を図１０（ａ）に示す一方の向きと、この一方の向きに対して左右反転した図１０（ｂ）に示す他方の向きとの双方の向きで取り付けることが可能になる。
【００２５】
また、上記重なり壁２２の外表面には、レバー６の回動動作で生じるモーメントによりレバー６の側板６１がアウターハウジング２の外側に開くことを防止する一対の開き防止部２７が設けられている。この一対の開き防止部２７は、重なり壁２２の接離方向Ｓに沿った下端、即ち相手側コネクタ寄りの端、に設けられている。また、この一対の開き防止部２７は、上記中心支持突起２４を通る接離方向Ｓと平行な仮想直線Ｐ（図１中に一点鎖線で示す。）を挟んで互いに線対称に設けられ、かつ、重なり壁２２の直交方向Ｔに沿った中央部寄りの箇所に設けられている。即ち、一対の開き防止部２７は、その形状及び配される位置が仮想直線Ｐに対して線対称に設けられている。さらに、この一対の開き防止部２７は、それぞれ、重なり壁２２の外表面から立設した立設部２５と立設部２５の先端部に連なり、重なり壁２２との間に間隔をあけて重なり壁２２と平行に延びるとともに互いに近付く方向に延びた板状の板状部２６とを有している。
【００２６】
上記構成の一対の開き防止部２７は、レバー６の回動動作の前半においては、即ちコネクタ５を相手側コネクタから最も離れた離間位置（図６に示す。）から相手側コネクタに近付く方向に向かって近付ける回動動作中においては、図６中の右側に位置する一方の開き防止部２７の板状部２６と重なり壁２２との間に側板６１の外縁部６１ａ（即ち一端部６１ａ）を位置付け、レバー６の回動動作の後半においては、即ちコネクタ５を図７に示す位置から図８に示す嵌合位置に向かって近付ける回動動作中においては、図７及び図８中の左側に位置する他方の開き防止部２７の板状部２６と重なり壁２２との間に側板６１の外縁部６１ｃを位置付ける。また、外縁部６１ｃは、側板６１の直交方向Ｔに沿った中央部でかつ接離方向Ｓに沿った相手側コネクタ寄りの下端部である。
【００２７】
本発明では、上述した位置、即ち重なり壁２２の接離方向Ｓに沿った下端でかつ直交方向Ｔに沿った中央部寄りの箇所に、仮想直線Ｐに対して線対称に一対の開き防止部２７を設けているので、これら一対の開き防止部２７がレバー６の回動動作を妨げることがなく、レバー６を図１０（ａ）に示す一方の向きと、この一方の向きに対して左右反転した図１０（ｂ）に示す他方の向きとの双方の向きで取り付けることが可能になる。
【００２８】
上記インナーハウジング３は、箱状に形成され、端子４を収容するための端子収容室を複数有している。この端子収容室は、端子４の挿入方向に沿った一端と他端とが外部空間と連通しており、前記一端から端子４を収容するとともに、前記他端から相手側コネクタの端子を収容する。
【００２９】
上記端子４は、導電性の金属板にプレス加工が施されて得られるものであり、電線７の端末に接続されている。これら端子４は、インナーハウジング３の端子収容室に収容され、コネクタ５が相手側コネクタと嵌合することにより、相手側コネクタの端子（不図示）と嵌合されて電気的に接続される。
【００３０】
上記構成のコネクタ５は、電線７の端末に接続された端子４がインナーハウジング３の端子収容室に収容され、次いでこのインナーハウジング３がアウターハウジング２に収容されて組み立てられる。
【００３１】
上記レバー６は、図５に示すように、絶縁性の合成樹脂から構成される。レバー６は、互いに平行に配されかつ一端部６１ａ同士が間隔をあけて互いに分離された一対の側板６１と、この一対の側板６１の他端部６１ｂ同士を連結した連結部６２と、この一対の側板６１の一端部６１ａ側に設けられた中心穴（請求項中の中心部に相当する。）６３と、この中心穴６３と一端部６１ａとの間に設けられた支点部６４と、を有している。
【００３２】
上記中心穴６３は、側板６１を貫通した穴であり、上記重なり壁２２に設けられた中心支持突起２４が通される。このレバー６は、中心支持突起２４により回転自在に支持される。即ち、レバー６は、中心穴６３を回転中心として回動される。また、この中心穴６３の内縁部は、このレバー６の作用点をなす。
【００３３】
上記支点部６４は、側板６１の外表面から円柱状に突出している。この支点部６４は、相手側コネクタのハウジングが引っ掛かることにより、このレバー６の支点をなす。即ち、支点部６４に相手側コネクタのハウジングが引っ掛かった状態でレバー６が回動されることにより、コネクタ５が相手側コネクタに対して接離する。
【００３４】
上記連結部６２には、ロックアーム６５が設けられている。このロックアーム６５は、コネクタ５を相手側コネクタに嵌合させた状態において、相手側コネクタのハウジングに係止する。このことにより、レバー６に意図しない外力がかかった時にコネクタ５が相手側コネクタから離れる方向に移動することが防止される。また、連結部６２の相手側コネクタから離れた上面６２ａは、レバー６を回動させる際に荷重が加えられる箇所である。この上面６２ａは、レバー６の力点をなす。
【００３５】
さらに、レバー嵌合式コネクタ１には、コネクタ５の相手側コネクタとの嵌合初期段階まで、レバー６の姿勢を保つためのレバー仮固定手段が設けられている。即ち、コネクタ５を相手側コネクタから最も離れた離間位置に位置付けた状態において（図６に示す。）、レバー６を回動不能状態に保つためのレバー仮固定手段が設けられている。このレバー仮固定手段は、レバー６に設けられた仮固定アーム６８と、開き防止部２７の外縁部から重なり壁２２の面方向に沿って凹に形成されて当該開き防止部２７の一部を切り欠いた切り欠き部２８（図４を参照。）と、で構成されている。
【００３６】
上記仮固定アーム６８は、側板６１の一端部６１ａの近傍の外表面、即ち側板６１の相手側コネクタ寄りの外縁部６１ｃよりも当該側板６１の中央部寄りの位置、からアウターハウジング２の外側に向かって突出した突起６６と、この突起６６を囲むように側板６１をコ字型に切り欠いたコ字型溝６７と、で構成されている。このような仮固定アーム６８は、側板６１の面方向と交差する方向に沿って撓むことが可能に設けられている。さらに、コ字型溝６７の内側の部分６１ｄの厚みは、側板６１の他の部分よりも薄く形成されており、このことにより、コ字型溝６７の内側の部分６１ｄと重なり壁２２との間には、図９に示すように、突起６６が重なり壁２２側に撓むための空間Ｋが形成されている。
【００３７】
上記構成の仮固定アーム６８は、コネクタ５が相手側コネクタから最も離れた離間位置に位置付けられた状態において、図６に示すように、突起６６が切り欠き部２８内に圧入係止される。このことにより、レバー６が回動不能状態に保たれる。また、コネクタ５と相手側コネクタとの嵌合時において該相手側コネクタのハウジング９に押圧された突起６６が重なり壁２２側に撓むことにより、突起６６の切り欠き部２８への係止が解除される。このことにより、レバー６の回動不能状態が解かれる。
【００３８】
本発明では、開き防止部２７に切り欠き部２８を設けたことにより、レバー嵌合式コネクタ１の構成を簡素化することができる。
【００３９】
また、本発明では、仮固定アーム６８を、側板６１の相手側コネクタ寄りの外縁部６１ｃよりも側板６１の面方向に沿った中央部寄りの位置に設けたことから、即ちこの仮固定アーム６８が相手側コネクタとの嵌合間口側を向いて突出しないように当該仮固定アーム６８を設けたことから、この仮固定アーム６８が電線７や相手側コネクタのハウジング等に引っ掛かることを防止できる。よって、レバー６の回動動作を妨げることを防止できる。
【００４０】
また、本発明では、突起６６が重なり壁２２側に撓むための空間Ｋを設けたことにより、突起６６の切り欠き部２８への係止解除をスムーズに行うことができるので、レバー６の回動動作を円滑にすることができる。
【００４１】
上記構成のレバー嵌合式コネクタ１の組み立て方法及び、コネクタ５を相手側コネクタに嵌合させる手順について以下説明する。まず、端子収容室内に端子４が挿入されたインナーハウジング３を、アウターハウジング２内に取り付ける。そして、レバー６の側板６１の一端部６１ａ側を互いに外側に広げてレバー６を弾性変形させて、中心穴６３を中心支持突起２４に嵌め込む。そして、レバー６を操作し、突起６６を切り欠き部２８内に圧入係止させて、レバー６を回動不能状態にする。
【００４２】
そして、レバー６が取り付けられたコネクタ５と相手側コネクタとを対向させ、これらを互いに近付ける。すると、相手側コネクタのハウジング９に押圧された突起６６が重なり壁２２側に撓むことにより、突起６６の切り欠き部２８への係止が解除されて、レバー６の回動不能状態が解かれる。この状態からレバー６の連結部６２の上面６２ａに、相手側コネクタ側に向かって力を加えると、レバー６は、中心穴６３を中心に回動を始め、支点部６４が相手側コネクタのハウジングに引っ掛かる。そして、レバー６をさらに回動させると、コネクタ５が相手側コネクタに嵌合されかつ互いの端子４同士が嵌合され、ロックアーム６５が相手側コネクタのハウジングに係止して、コネクタ５と相手側コネクタとの嵌合が終了する。
【００４３】
また、コネクタ５を相手側コネクタと嵌合している状態から離脱させる場合には、ロックアーム６５を撓ませてこのロックアーム６５の相手側コネクタハウジングへの係止状態を解除する。そして、レバー６を嵌合方向と逆方向の解除方向に回動させると、コネクタ５が相手側コネクタから離脱する。
【００４４】
また、上述した実施形態では、一対の開き防止部２７を、重なり壁２２の接離方向Ｓに沿った下端に、仮想直線Ｐに対して線対称に設けていたが、本発明では、一対の開き防止部２７を、重なり壁２２の接離方向Ｓに沿った上端に、仮想直線Ｐに対して線対称に設けても良い。
【００４５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４６】
【図１】本発明の一実施の形態に係るレバー嵌合式コネクタを示す斜視図である。
【図２】図１に示されたレバー嵌合式コネクタの分解斜視図である。
【図３】図１に示されたレバー嵌合式コネクタのアウターハウジングを示す斜視図である。
【図４】図３に示されたアウターハウジングの開き防止部を示す拡大図である。
【図５】図１に示されたレバー嵌合式コネクタのレバーを示す斜視図である。
【図６】図１に示されたレバー嵌合式コネクタのレバーが、コネクタを相手側コネクタから最も離れた位置に位置付けた状態を示す平面図である。
【図７】図６に示されたレバーの回動中の状態を示す平面図である。
【図８】図７に示されたレバーが、コネクタを相手側コネクタに嵌合させた状態を示す平面図である。
【図９】図６中のＡ−Ａに沿った断面図である。
【図１０】（ａ）は、図１に示されたレバー嵌合式コネクタのレバーが一方の向きでアウターハウジングに取り付けられた状態を示す平面図であり、（ｂ）は、図１に示されたレバー嵌合式コネクタのレバーが他方の向きでアウターハウジングに取り付けられた状態を示す平面図である。
【図１１】従来のレバー嵌合式コネクタを示す正面図である。
【符号の説明】
【００４７】
１  レバー嵌合式コネクタ
２  アウターハウジング（ハウジング）
５  コネクタ
６  レバー
２２  重なり壁
２４  中心支持突起（中心支持部）
２７  開き防止部
２８  切り欠き部
６１  側板
６１ａ  一端部（外縁部）
６１ｂ  他端部
６１ｃ  外縁部
６１ｄ  内側の部分
６２  連結部
６３  中心穴（中心部）
６６  突起
６７  コ字型溝
Ｋ  空間
Ｐ  仮想直線
Ｓ  接離方向
Ｔ  直交方向
【図１】
0004963285.tif 000002
【図２】
0004963285.tif 000003
【図３】
0004963285.tif 000004
【図４】
0004963285.tif 000005
【図５】
0004963285.tif 000006
【図６】
0004963285.tif 000007
【図７】
0004963285.tif 000008
【図８】
0004963285.tif 000009
【図９】
0004963285.tif 000010
【図１０】
0004963285.tif 000011
【図１１】
0004963285.tif 000012